(57)【要約】      （修正有）【課題】直接的な通信に関して「ハーフデュプレックス」問題を軽減することができる伝送リソースの割り当て装置を提供する。【解決手段】モバイルトランシーバ（１００）のための装置（１０）は、モバイル通信システム（３００）の基地局トランシーバ（２００）から制御情報を受信し、他のモバイルトランシーバ（１５０）と通信するトランシーバモジュール（１２）を備え、トランシーバモジュール（１２）を制御するように制御モジュール（１４）をさらに備える。制御モジュール（１４）は、トランシーバモジュール（１２）を使用して、第１のリソースプールに関連付けられた情報と、第２のリソースプールに関連付けられた情報とを受信し、第２のリソースプールのリソースにおいて伝送されるデータを符号化するためにレートレス符号を使用するトランシーバモジュール（１２）を使用して、他のモバイルトランシーバ（１５０）と通信する。【選択図】図１
2018129801.tif 000002
【特許請求の範囲】
【請求項１】
モバイル通信システム（３００）のモバイルトランシーバ（１００）のための装置（１０）であって、
前記装置（１０）は、
前記モバイル通信システム（３００）の基地局トランシーバ（２００）から制御情報を受信して、前記モバイル通信システム（３００）の他のモバイルトランシーバ（１５０）と通信するように構成されているトランシーバモジュール（１２）と、
制御モジュール（１４）と、を備えており、
前記制御モジュール（１４）は、
前記トランシーバモジュール（１２）を制御し、
前記トランシーバモジュール（１２）を使用して、第１のリソースプールに関連付けられた情報と、第２のリソースプールに関連付けられた情報と、を受信し、
前記第２のリソースプールのリソースにおいて伝送されるデータを符号化するためにレートレス符号を使用する前記トランシーバモジュール（１２）を使用して、前記他のモバイルトランシーバ（１５０）と通信する、ように構成されている、
装置（１０）。
【請求項２】
前記制御モジュール（１４）は、前記第１のリソースプールおよび／または前記第２のリソースプールに由来するリソースを使用して、前記他のモバイルトランシーバ（１５０）からデータを受信するように構成されている、
請求項１記載の装置（１０）。
【請求項３】
前記制御モジュール（１４）は、前記第１のリソースプールを使用して周期的なデータを送信および／または受信し、前記第２のリソースプールを使用してイベントドリブン型のデータを送信および／または受信するように構成されている、
請求項１または２記載の装置（１０）。
【請求項４】
前記制御モジュール（１４）は、異なる時間リソースでデータを送受信するように構成されている、
請求項１から３までのいずれか１項記載の装置（１０）。
【請求項５】
前記制御モジュール（１４）は、前記レートレス符号化をアプリケーション層のデータパケットに適用するように構成されている、
請求項１から４までのいずれか１項記載の装置（１０）。
【請求項６】
前記レートレス符号は、前方誤り訂正符号、消失訂正符号、ネットワーク符号またはファウンテン符号である、
請求項１から５までのいずれか１項記載の装置（１０）。
【請求項７】
前記制御モジュール（１４）は、前記トランシーバモジュール（１２）を使用するブロードキャスト伝送のために、前記第２のリソースプールのリソースを使用するように構成されている、
請求項１から６までのいずれか１項記載の装置（１０）。
【請求項８】
前記第２のリソースプールは、時間リソースの断続パターンを備えている、
請求項１から７までのいずれか１項記載の装置（１０）。
【請求項９】
請求項１から８までのいずれか１項記載の装置（１０）を備えている乗り物。
【請求項１０】
モバイル通信システム（３００）のモバイルトランシーバ（１００）に、他のモバイルトランシーバ（１５０）と直接的に通信するために、伝送リソースを割り当てるための装置（２０）であって、
前記装置（２０）は、
前記モバイルトランシーバ（１００）と通信するように構成されているインタフェース（２２）と、
制御モジュール（２４）と、を備えており
前記制御モジュール（２４）は、
前記インタフェース（２２）を制御し、
第１のリソースプールと、データを符号化するためにレートレス符号を使用する伝送のためのリソースを有している第２のリソースプールと、を決定し、
前記第１のリソースプールに関連付けられた情報および前記第２のリソースプールに関連付けられた情報を、前記インタフェース（２２）を使用して前記モバイルトランシーバ（１００）に提供する、ように構成されている、
装置（２０）。
【請求項１１】
前記第１のリソースプールのリソースの帯域幅は、前記第２のリソースプールの前記リソースの帯域幅よりも広い、および／または、伝送のためにリソースを利用できない断続時間は、前記第２のリソースプールよりも前記第１のリソースプールにおける方が長い、
請求項１０記載の装置（２０）。
【請求項１２】
前記モバイルトランシーバの少なくとも１つ（１００；１５０）は、乗り物に設けられている、
請求項１０または１１記載の装置（２０）。
【請求項１３】
モバイル通信システム（３００）のモバイルトランシーバ（１００）のための方法において、
第１のリソースプールに関連付けられた情報と、第２のリソースプールに関連付けられた情報と、を受信すること（３２）と、
前記第２のリソースプールのリソースにおいて伝送されるデータを符号化するためにレートレス符号を使用して、他のモバイルトランシーバ（１５０）と通信すること（３４）と、を備えている、
方法。
【請求項１４】
モバイル通信システム（３００）のモバイルトランシーバ（１００）に、他のモバイルトランシーバ（１５０）と直接的に通信するために、伝送リソースを割り当てるための方法であって、
第１のリソースプールと、データを符号化するためにレートレス符号を使用する伝送のためのリソースを有している第２のリソースプールと、を決定すること（４２）と、
前記第１のリソースプールに関連付けられた情報および第２のリソースプールに関連付けられた情報を、前記モバイルトランシーバ（１００）に提供すること（４４）と、
を備えている、
方法。
【請求項１５】
コンピュータ、プロセッサまたはプログラミング可能なハードウェアコンポーネントにおいて実行されるときに、請求項１３または１４の少なくとも１項記載の方法を実施するためのプログラムコードを有しているコンピュータプログラム。
【発明の詳細な説明】
【技術分野】
【０００１】
本発明は、伝送リソースの割り当ておよびモバイルトランシーバのための装置、方法およびコンピュータプログラムに関し、特に、乗り物通信のためのモバイル通信システムにおけるリソース管理のコンセプトに関するが、これに限定されない。
【背景技術】
【０００２】
ポータブルデバイスと乗り物との間の直接的な通信は一部のモバイル通信システムの特徴である。将来の自動車は、乗り物間の直接的なデータ伝送を実現する通信システムを含むと考えられる。１つのきわめて顕著な例は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１ｐ標準（および対応する上位層標準）に準拠する直接的な伝送である。このような乗り物コネクティビティ標準の一般的な用途は周囲の乗り物に情報をブロードキャストすることである。この情報はステータス情報であってもよく、規則的に送信されるものであるか、または緊急情報のようなイベントドリブン型のメッセージであってよい。
【０００３】
ＩＥＥＥ  ８０２．１１ｐに代わるものが業界団体３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）によって標準化中である。この団体はセルラ通信技術を開発しており、またＣ−Ｖ２Ｘ（Ｃｅｌｌｕｌａｒ  Ｖｅｈｉｃｌｅ  ｔｏ  Ｅｖｅｒｙｔｈｉｎｇ）と称される、乗り物のための直接的な通信の標準を提案している。このコンセプトは、ステータス情報を規則的なパターンで送信する効率的な方法を含む。
【０００４】
文献国際公開第２０１６／０１７０９９号（ＷＯ２０１６／０１７０９９Ａ１）には、モバイル通信システムにおけるデバイス間通信（ｄｅｖｉｃｅ−ｔｏ−ｄｅｖｉｃｅ  ｃｏｍｍｕｎｉｃａｔｉｏｎ）に複数のリソースプールを用いる概念が開示されている。この場合、デバイスが基地局トランシーバのカバレッジ内にあるか、またはカバレッジ外にあるかに応じて異なるリソースプールを使用することができる。文献米国特許出願公開第２０１６／０２９４５１２号明細書（ＵＳ２０１６／０２９４５１２Ａ１）には、チャネル符号を復号化して、異なるブロックサイズに対してパリティビットを用いるコンセプトが記載されている。
【先行技術文献】
【特許文献】
【０００５】
【特許文献１】国際公開第２０１６／０１７０９９号
【特許文献２】米国特許出願公開第２０１６／０２９４５１２号明細書
【発明の概要】
【発明が解決しようとする課題】
【０００６】
モバイル通信システムにおける直接的な通信のコンセプトの改善が求められている。独立請求項は、直接的な通信の改善された概念を提供する。
【課題を解決するための手段】
【０００７】
実施の形態は、モバイルトランシーバ、たとえばモバイルフォンまたは乗り物間で通信される異なる性質のメッセージが存在しているという発見を基礎としている。一方のタイプのメッセージは、たとえば、定期的にレポートされるステータスメッセージである。他方のタイプのメッセージは、イベントドリブン型のメッセージ、たとえば緊急メッセージまたは警告メッセージがある。さらに、イベントドリブン型のメッセージが、たとえば乗り物の直ぐ近くにある可能な限り多くの受信器によって受信されることを意図して、それらのイベントドリブン型のメッセージをブロードキャストできることを発見した。この発見に基づいて、メッセージを符号化するために、レートレス（ｒａｔｅｌｅｓｓ）符号を使用することができる。レートレス符号は、消失（受信ギャップ、パケットロス、ビットエラー、ブロックエラー、バースト性エラーなど）が、たとえば干渉、不利な無線チャネル状態または非連続的な受信に起因して発生しても、メッセージを受信することができる。これらの符号によって、符号化オーバーヘッドの発生を極わずかに抑えながら、種々の受信器は、失われたパケットの量に依存せずに、伝送されたメッセージを回復することができる。非連続的な受信が、受信器自体の伝送動作に由来する場合、このスキームは、ユーザに異なる動作スキームを同時に提供することができる。
【０００８】
実施の形態は、モバイル通信システムのモバイルトランシーバのための装置を提供する。装置は、モバイル通信システムの基地局トランシーバから制御情報を受信して、モバイル通信システムの他のモバイルトランシーバと通信するように構成されているトランシーバモジュールを備えている。装置はさらに、制御モジュールを備えており、この制御モジュールは、トランシーバモジュールを制御し、トランシーバモジュールを使用して、第１のリソースプールに関連付けられた情報と、第２のリソースプールに関連付けられた情報と、を受信する。制御モジュールはさらに、第２のリソースプールのリソースにおいて伝送されるデータを符号化するためにレートレス符号を使用するトランシーバモジュールを使用して、他のモバイルトランシーバと通信するように構成されている。実施の形態は、複数のリソースプールを使用する、モバイルトランシーバ間の直接的な通信を実現することができ、それらの複数のリソースプールのうちの１つのリソースは、レートレス符号化データのために使用される。
【０００９】
実施の形態は、モバイル通信システムのモバイルトランシーバに、他のモバイルトランシーバとの直接的な通信のために、伝送リソースを割り当てるための装置も提供する。装置は、モバイルトランシーバと通信するように構成されているインタフェースと、インタフェースを制御するように構成されている制御モジュールと、を備えている。制御モジュールはさらに、第１のリソースプールおよび第２のリソースプールを決定するように構成されており、第２のリソースプールは、データを符号化するためにレートレス符号を使用する伝送のためのリソースを有している。制御モジュールはさらに、第１のリソースプールに関連付けられた情報および第２のリソースプールに関連付けられた情報を、インタフェースを使用してモバイルトランシーバに提供するように構成されている。実施の形態は、２つのリソースプールを用いる、モバイル通信システムのモバイルトランシーバの構成を実現する。リソースの利用を、通信されるべき情報の性質またはタイプに適合させることができるので、異なるリソースプールを有することで、無線リソース管理を向上させることができる。
【００１０】
さらなる実施の形態においては、第１のリソースプールおよび／または第２のリソースプールに由来するリソースを使用して、他のモバイルトランシーバからデータを受信するように、制御モジュールを構成することができる。実施の形態においては、第１のリソースプールおよび／または第２のリソースプールに由来するリソースを、直接的なデバイス間データ伝送および／またはデータ受信に使用することができる。これによって、２つのリソースプールは、どの種類の情報がそれら２つのリソースプールのいずれにおいて通信されるかを決定できる、ネットワークに関する間接的な制御を実現することができる。いくつかの実施の形態においては、第１のリソースプールを使用して周期的なデータを送信および／または受信し、第２のリソースプールを使用してイベントドリブン型のデータを送信および／または受信するように、制御モジュールを構成することができる。実施の形態は、周期的なデータ、たとえばステータス情報の通信と、イベントドリブン型のデータ、たとえば緊急メッセージまたは警告メッセージの通信と、に対して別個のリソースプールを提供することができる。異なるタイプのメッセージに対して別個のリソースプールを使用して、改善されたリソース管理およびより高い効率を実現することができる。
【００１１】
いくつかの実施の形態は、制御モジュールが異なる時間リソースでデータを送受信するように構成されることを考慮することができる。たとえば、送信と受信を同時に行えないように制御モジュールまたはモバイルトランシーバのトランシーバユニットを実施することができ、したがって、第１のリソースプールのリソースにおける送信時には、他のリソース、たとえば第２のリソースプールのリソースにおける受信は行えない。この制限は「ハーフデュプレックス問題」として一般的に知られている。したがって、伝送中に第２のリソースプールのリソースにおいては、データを受信できない。しかしながら、レートレス符号化によって、パケットロスまたは受信の中断に対処する効率的なスキームが実現される。
【００１２】
レートレス符号化をアプリケーション層のデータパケットに適用するように、制御モジュールを構成することができる。この場合、モバイルトランシーバにおいて実行されるアプリケーションは、非連続的な受信または他の現象に起因するパケットロスを克服することができる。レートレス符号は、たとえば、前方誤り訂正符号、消失訂正符号、ネットワーク符号、ファウンテン（Ｆｏｕｎｔａｉｎ）符号またはラプタ（Ｒａｐｔｏｒ）符号であってよい。トランシーバモジュールを使用するブロードキャスト伝送のために、第２のリソースプールのリソースを使用するように、制御モジュールを構成することができる。デバイス間で直接的にブロードキャストされるメッセージを、レートレス符号を使用してアプリケーション層において符号化することができる。これにより、受信側のモバイルトランシーバは、ある程度のデータパケットロスが生じたとしても、ブロードキャストされたメッセージを効率的に受信することができる。たとえば、第２のリソースプールは、時間リソースの断続パターンを備えている。第１のリソースプールのリソースの帯域幅は、第２のリソースプールのリソースの帯域幅よりも広くてよい。伝送のためにリソースを利用できない断続時間は、第２のリソースプールよりも第１のリソースプールにおける方が長くてよい。
【００１３】
いくつかの実施の形態においては、モバイルトランシーバのうちの少なくとも１つを乗り物に設けることができる。
【００１４】
実施の形態は、上記の装置を備えている乗り物も提供する。
【００１５】
実施の形態は、モバイル通信システムのモバイルトランシーバのための方法も提供する。この方法は、第１のリソースプールに関連付けられた情報と、第２のリソースプールに関連付けられた情報と、を受信することを備えている。またこの方法は、第２のリソースプールのリソースにおいて伝送されるデータを符号化するためにレートレス符号を使用して、他のモバイルトランシーバと通信することを備えている。
【００１６】
実施の形態は、モバイル通信システムのモバイルトランシーバに、他のモバイルトランシーバとの直接的な通信のために、伝送リソースを割り当てるための方法をさらに提供する。この方法は、第１のリソースプールと、データを符号化するためにレートレス符号をする伝送のためのリソースを有している第２のリソースプールと、を決定することを備えている。またこの方法は、モバイルトランシーバに、第１のリソースプールに関連付けられた情報および第２のリソースプールに関連付けられた情報を提供することを備えている。
【００１７】
実施の形態は、コンピュータ、プロセッサまたはプログラミング可能なハードウェアコンポーネントにおいて実行されると、上記の方法のうちの１つ以上を実行するプログラムコードを有しているコンピュータプログラムをさらに提供する。別の実施の形態は、コンピュータ、プロセッサまたはプログラミング可能なハードウェアコンポーネントによって実行されると、本明細書に記載する方法のうちの１つをコンピュータに実行させる命令を記憶しているコンピュータ可読記憶媒体である。
【００１８】
いくつかの他の特徴または態様を、添付の図面を参照しながら、単に例示を目的として、装置または方法またはコンピュータプログラムまたはコンピュータプログラム製品の下記の非限定的な実施の形態を用いて説明する。
【図面の簡単な説明】
【００１９】
【図１】モバイルトランシーバのための装置の実施の形態およびリソースを割り当てるための装置の実施の形態を示す。
【図２】１つの実施の形態における第１のリソースプールおよび第２のリソースプールを示す。
【図３】モバイルトランシーバのための方法の実施の形態のフローチャートのブロック図を示す。
【図４】伝送リソースを割り当てるための方法の実施の形態のフローチャートのブロック図を示す。
【発明を実施するための形態】
【００２０】
実施例の一部が図示されている添付の図面を参照しながら、種々の実施例を以下ではより詳細に説明する。図中、線の太さ、層の厚さまたは領域の大きさは、見やすくするために誇張されていると考えられる。オプションのコンポーネントが、破線、一点鎖線または点線によって図示されている場合もある。
【００２１】
したがって、実施例について種々の修正形態および代替形骸が考えられるが、それらのうちの一部の実施の形態が例示を目的として図面に示されており、また本明細書において詳細に説明される。しかしながら、実施例を開示した特定の形態に限定することは意図されておらず、むしろ実施例は、本発明の範囲内のすべての修正形態、等価形態および代替形態をカバーすると解されるべきである。同様の参照番号は、各図の説明全体にわたって同様の要素または類似の要素を表している。
【００２２】
本明細書で用いられているように、用語「または」は、別個の記載（たとえば、「あるいは」または「または代替形態においては」）がない限り、非排他的な「または」を表している。さらに、本明細書で用いられるように、要素の関係を説明するのに用いられている語は、別段説明しない限り、当然、直接的な関係または介在する要素の存在を含むものと広義に解釈する。たとえば、要素が別の要素に「接続されている」または「結合されている」と表されている場合、要素が他の要素に直接的に接続または結合されていてもよいし、もしくは介在する要素が存在してもよい。これに対して、要素が別の要素に「直接的に接続されている」または「直接的に結合されている」と表されている場合、介在する要素は存在しない。同様に、「〜の間」、「〜に隣接する」などの語も同様に解されるべきである。
【００２３】
本明細書において使用されている術語は、特定の実施の形態を説明するためのものにしかすぎず、実施の形態を限定することは意図されていない。本明細書において使用されているように、単数形「１つの」および「この」は、文脈においてそれを排除することが明示的に記載されていない限り、複数形も含むことが意図されている。さらに、「備える」、「備えている」、「含む」または「含んでいる」という語は、本明細書において使用されている場合、記載した特徴、完全体（ｉｎｔｅｇｅｒｓ）、ステップ、動作、要素またはコンポーネントの存在を特定するが、１つ以上の他の特徴、完全体、ステップ、動作、要素、コンポーネントまたはそのグループの存在または付加を排除するものではないと解される。
【００２４】
別段の定めのない限り、本明細書において使用されるすべての用語（技術的用語および科学的用語を含む）は、実施例が属する技術の当業者によって一般的に理解される意味と同じ意味を持つ。さらに、たとえば一般的に使用されている辞書において定義されているような用語は、関連する分野の文脈におけるそれらの意味と矛盾しない意味を有していると解されるべきであり、また特段の定めのない限り、理想化された意味または過度に形式的な意味で解釈されてはならないと解される。
【００２５】
図中、オプションとしての特徴は、破線を用いて示されている。図１は、モバイル通信システム３００のモバイルトランシーバ１００のための装置１０の実施の形態を示す。装置１０は、モバイル通信システム３００の基地局トランシーバ２００から制御情報を受信して、モバイル通信システム３００の他のモバイルトランシーバ１５０と通信するように構成されているトランシーバモジュール１２を備えている。モバイルトランシーバ装置１０は、トランシーバモジュール１２を制御するように構成されている制御モジュール１４をさらに備えている。制御モジュール１４は、トランシーバモジュール１２を使用して、第１のリソースプールに関連付けられた情報と、第２のリソースプールに関連付けられた情報と、を受信するようにさらに構成されている。制御モジュールは、第２のリソースプールのリソースにおいて伝送されるデータを符号化するためにレートレス符号を使用して、またトランシーバモジュール１２を使用して、他のモバイルトランシーバ１５０と通信するようにさらに構成されている。実施の形態は、装置１０の実施の形態を備えているモバイルトランシーバ１００も提供する。実施の形態は、モバイルトランシーバ１００の実施の形態を備えている乗り物、たとえば、車、バス、列車、自転車またはモーターバイク、ボートまたは船舶、航空機なども提供する。制御モジュール１４は、トランシーバモジュール１２に結合されている。モバイルトランシーバ１００，１５０の少なくとも１つが乗り物に含まれてもよい。
【００２６】
図１にさらに示されているように、実施の形態は、モバイル通信システム３００のモバイルトランシーバ１００に、他のモバイルトランシーバ１５０との直接的な通信のために、伝送リソースを割り当てるための装置２０も提供する。実施の形態は、装置２０の実施の形態を備えているネットワークコンポーネント、たとえば、基地局トランシーバ２００、ネットワークコントローラ、ネットワークノードなども提供する。装置２０は、モバイルトランシーバ１００と通信するように構成されているインタフェース２２を備えている。装置２０は、インタフェース２２を制御するように構成されている制御モジュール２４をさらに備えている。制御モジュール２４は、第１のリソースプールおよび第２のリソースプールを決定するようにさらに構成されている。第２のリソースプールは、データを符号化するためにレートレス符号を使用する伝送のためのリソースを有している。装置２０は、第１のリソースプールに関連付けられた情報および第２のリソースプールに関連付けられた情報を、インタフェース２２を使用してモバイルトランシーバ１００に提供するようにさらに構成されている。制御モジュール２４は、インタフェース２２に結合されている。
【００２７】
モバイル通信システム３００は、たとえば、第３世代パートナーシッププロジェクト（３ＧＰＰ）標準化移動通信ネットワークの１つに対応してもよい。ここで、モバイル通信システム３００という用語は、モバイル通信ネットワークと同義的に用いられている。モバイル通信システムまたは無線通信システム３００は、第５世代（５Ｇ）のモバイル通信システムに対応することができ、ミリ波技術を使用することもできる。モバイル通信システム３００は、たとえば、ロングタームエボリューション（ＬＴＥ）、ＬＴＥ−Ａｄｖａｎｃｅｄ（ＬＴＥ−Ａ）、高速パケットアクセス（ＨＳＰＡ）、ユニバーサルモバイルテレコミュニケーションシステム（ＵＭＴＳ）もしくはＵＭＴＳ地上無線アクセスネットワーク（ＵＴＲＡＮ）、ｅｖｏｌｖｅｄ−ＵＴＲＡＮ（ｅ−ＵＴＲＡＮ）、世界移動体通信システム（Ｇｌｏｂａｌ  Ｓｙｓｔｅｍ  ｆｏｒ  Ｍｏｂｉｌｅ  ｃｏｍｍｕｎｉｃａｔｉｏｎ）（ＧＳＭ）もしくはＧＳＭ進化型高速データレート（Ｅｎｈａｎｃｅｄ  Ｄａｔａ  ｒａｔｅｓ  ｆｏｒ  ＧＳＭ  Ｅｖｏｌｕｔｉｏｎ）（ＥＤＧＥ）ネットワーク、ＧＳＭ／ＥＤＧＥ無線アクセスネットワーク（ＧＥＲＡＮ）または異なる標準、たとえば、ワールドワイド・インターオペラビリティ・フォー・マイクロウェーブ・アクセス（Ｗｏｒｌｄｗｉｄｅ  Ｉｎｔｅｒ−ｏｐｅｒａｂｉｌｉｔｙ  ｆｏｒ  Ｍｉｃｒｏｗａｖｅ  Ａｃｃｅｓｓ）（ＷＩＭＡＸ）ネットワークＩＥＥＥ８０２．１６もしくは無線ローカルエリアネットワーク（ＷＬＡＮ）ＩＥＥＥ８０２．１１を用いる移動通信ネットワーク、一般的には、直交周波数分割多重アクセス（ＯＦＤＭＡ）ネットワーク、時分割多重アクセス（ＴＤＭＡ）ネットワーク、符号分割多重アクセス（ＣＤＭＡ）ネットワーク、広帯域ＣＤＭＡ（ＷＣＤＭＡ）ネットワーク、周波数分割多重アクセス（ＦＤＭＡ）ネットワーク、空間分割多重アクセス（ＳＤＭＡ）ネットワークなどに対応するか、またはそれらを備えてもよい。
【００２８】
基地局トランシーバ２００は、１つ以上の作動中のモバイルトランシーバ１００と通信するように動作可能または構成可能であり、また他の基地局トランシーバ、たとえばマクロセル基地局トランシーバまたはスモールセル基地局トランシーバのカバレッジエリア内またはこのカバレッジエリアに隣接して、基地局トランシーバ２００を配置することができる。したがって、実施の形態は、１つ以上のモバイルトランシーバ１００，１５０および１つ以上の基地局トランシーバ２００を備えるモバイル通信システム３００を提供してもよく、その際、基地局トランシーバ２００は、たとえばピコセル、メトロセル（ｍｅｔｒｏ  ｃｅｌｌ）またはフェムトセルとしてマクロセルまたはスモールセルを確立してもよい。モバイルトランシーバ１００は、スマートフォン、携帯電話器（ｃｅｌｌ  ｐｈｏｎｅ）、ユーザ端末、ラップトップ、ノートブック、パーソナルコンピュータ、パーソナル・ディジタル・アシスタント（ＰＤＡ）、ユニバーサル・シリアル・バス（ＵＳＢ）スティック、自動車、乗り物などに対応してもよい。また、モバイルトランシーバ１００は、３ＧＰＰの術語にしたがってユーザ端末（ＵＥ）またはモバイルとして記載されている場合がある。
【００２９】
基地局トランシーバ２００をネットワークまたはシステムの固定箇所または常設箇所に配置することができる。基地局トランシーバ２００は、リモートラジオヘッド（ＲＲＨ：ｒｅｍｏｔｅ  ｒａｄｉｏ  ｈｅａｄ）、伝送ポイント、アクセスポイント、マクロセル、スモールセル、マイクロセル、フェムトセル、メトロセルなどに対応してもよい。基地局トランシーバ２００を有線ネットワークの無線インタフェースとすることができ、このインタフェースは、ＵＥまたはモバイルトランシーバ１００への無線信号の伝送を可能にする。このような無線信号は、たとえば、３ＧＰＰによって標準化された無線信号に準じてもよいし、一般的にいえば、上記のシステムの１つ以上に係る無線信号に準じてもよい。このように、基地局トランシーバ２００は、ＮｏｄｅＢ、ｅＮｏｄｅＢ、ベーストランシーバ基地局（ＢＴＳ）、アクセスポイント、リモート無線源、中継局、伝送ポイントなどに対応してもよく、これらをさらに、リモートユニットおよび中央ユニットに細分化することができる。
【００３０】
モバイルトランシーバ１００は、基地局トランシーバ２００またはセルに関連付けることができる。セルという用語は、基地局トランシーバ、たとえばＮｏｄｅＢ（ＮＢ）、ｅＮｏｄｅＢ（ｅＮＢ）、リモート無線源、伝送ポイントなどによって提供される無線サービスのカバレッジエリアを指す。基地局トランシーバは、１つ以上の周波数層で１つ以上のセルを稼働させてよく、いくつかの実施の形態では、セルはセクタに対応してもよい。たとえば、リモートユニットまたは基地局トランシーバの周囲で角度セクションをカバーする特性を実現するセクタアンテナを用いてセクタを提供することができる。いくつかの実施の形態では、基地局トランシーバは、たとえば、１２０°（３つのセルの場合）、６０°（６つのセルの場合）のセクタをカバーする３つまたは６つのセルをそれぞれ稼働させてよい。基地局トランシーバは、複数のセクタに分けられた複数のアンテナを操作することができる。以下では、セルは、そのセルを生成する対応基地局トランシーバを表しているか、またはそれと同様に、基地局トランシーバは、その基地局トランシーバが生成するセルを表していると考えられる。
【００３１】
換言すれば、実施の形態においてモバイル通信システムは、異なるタイプのセル、すなわちクローズド加入者グループ（ＣＳＧ：Ｃｌｏｓｅｄ  Ｓｕｂｓｃｒｉｂｅｒ  Ｇｒｏｕｐ）セルおよびオープンセルならびに異なるサイズの複数のセル、たとえばマクロセルおよびスモールセルを利用するＨｅｔＮｅｔに対応してもよい。ここで、スモールセルのカバレッジエリアは、マクロセルのカバレッジエリアよりも小さい。スモールセルは、メトロセル、マイクロセル、ピコセル、フェムトセルなどに対応してもよい。このようなセルは、そのカバレッジエリアがその伝送出力および干渉状態によって決まる基地局トランシーバによって確立される。いくつかの実施の形態では、他の基地局トランシーバによって確立されるマクロセルのカバレッジエリアによってスモールセルのカバレッジエリアを少なくとも部分的に包囲することができる。ネットワークの能力を拡張するようにスモールセルを展開することができる。したがって、マクロセルよりも小さいエリアをカバーするためにメトロセルを用いてもよく、たとえば、メトロセルは都市エリアの道路や地区をカバーしてもよい。マクロセルについては、カバレッジエリアが１キロメートル以上のオーダの直径を有してもよく、マイクロセルについては、カバレッジエリアが１キロメートル未満の直径を有してもよく、ピコセルについては、カバレッジエリアが１００ｍ未満の直径を有してもよい。フェムトセルは最小セルであってもよく、一世帯や空港のゲートセクションをカバーするのに用いてもよい。すなわち、フェムトセルのカバレッジエリアは５０ｍ未満の直径を有してもよい。したがって、基地局トランシーバをセルという場合もある。
【００３２】
さらに、モバイルトランシーバ１００，１５０は互いに直接的に通信することができる。すなわち、任意の基地局トランシーバ２００を介することなく通信することができる。これをデバイス間（Ｄ２Ｄ：Ｄｅｖｉｃｅ−ｔｏ−Ｄｅｖｉｃｅ）通信ともいう。Ｄ２Ｄの例として乗り物間の直接的な通信があり、これは車車間通信（Ｖ２Ｖ：Ｖｅｈｉｃｌｅ−ｔｏ−Ｖｅｈｉｃｌｅ  ｃｏｍｍｕｎｉｃａｔｉｏｎ）ともいう。これを行うために、無線リソース、たとえば、周波数、時間、符号および／または空間リソースを用いる。これらを基地局トランシーバとの無線通信にも用いてもよい。無線リソースの割り当て、すなわち、どのリソースをＤ２Ｄに用いるか、かつどのリソースをＤ２Ｄに用いないかについて以下に説明する。以下において、それぞれの構成要素の無線リソースは、無線キャリアにおいて認識可能ないずれの無線リソースにも対応することができ、それぞれのキャリアに同じ粒度を用いてもよいし、異なる粒度を用いてもよい。無線リソースは、リソースブロック（ＬＴＥ／ＬＴＥ−Ａ／ＬＴＥ−ｕｎｌｉｃｅｎｓｅｄ（ＬＴＥ−Ｕ）などのＲＢ）、１つ以上のキャリア、サブキャリア、１つ以上の無線フレーム、無線サブフレーム、無線スロット、拡散率（ｓｐｒｅａｄｉｎｇ  ｆａｃｔｏｒ）をそれぞれ用いることが可能な１つ以上のコードシーケンス、１つ以上の空間リソース、たとえば、空間サブチャネル、空間プレコーディングベクトル、これらの任意の組合せなどに対応してもよい。
【００３３】
実施の形態では、制御モジュール、たとえば制御モジュール１４および／または２４は、相応に適合されたソフトウェアを用いて動作可能な１つ以上の処理ユニット、１つ以上の処理デバイス、任意の処理手段、たとえば、プロセッサ、コンピュータまたはプログラミング可能なハードウェアコンポーネントを用いて実施することができる。換言すれば、制御モジュール１４，２４の説明した機能をソフトウェアとして実施することもできる。この場合、それらの機能は、１つ以上のプログラミング可能なハードウェアコンポーネントにおいて実行される。このようなハードウェアコンポーネントは、汎用プロセッサ、ディジタルシグナルプロセッサ（ＤＳＰ）、マイクロコントローラなどを備えてもよい。
【００３４】
実施の形態では、トランシーバモジュール１２は、一般的なトランシーバコンポーネント、たとえば、１つ以上のローノイズアンプ（ＬＮＡ）、１つ以上のパワーアンプ（ＰＡ）、１つ以上のデュプレクサ、１つ以上のダイプレクサ、１つ以上のフィルタもしくはフィルタ回路、１つ以上のコンバータ、１つ以上のミキサ、相応に構成された高周波コンポーネントなどを備えることができる。アンテナは、任意の送信および／または受信アンテナ、たとえば、ホーンアンテナ、ダイポールアンテナ、パッチアンテナ、セクタアンテナなどに対応することができる。アンテナは、予め定められた幾何学的なセッティング、たとえば、均一アレイ、リニアアレイ、サーキュラアレイ、トライアングルアレイ、均一フィールド、フィールドアレイ、それらの組合せなどで配置することができる。
【００３５】
実施の形態では、無線リソースを割り当てる装置２０のインタフェース２２は、他のネットワークコンポーネントからの信号を供給するおよび／または特定するように構成されているコネクタ、ピン、プラグ、レジスタなどであってもよい。いくつかの実施の形態では、アナログ信号かディジタル信号か、伝送帯域の信号か、中間帯域の信号か、ベース帯域内の信号かを特定する、および／または、これを供給するようにインタフェース２２を構成することができる。インタフェース２２と他の構成要素との間には、中間リンク、有線式または無線式のコネクション、インタフェースなどがあってもよい。インタフェース２２（いくつかの実施の形態では１つ以上のインタフェース２２）は、装置２０と他のそれぞれのネットワークコンポーネント（たとえば、装置２０が基地局トランシーバ２００において実施される場合にはトランシーバモジュール１２）との間で、対応する情報または信号を交換することができるように構成されている。このような実施の形態では、インタフェース２２はトランシーバモジュール１２に対応してもよい。すなわち、上記の説明にしたがってトランシーバモジュール１２に適合するようにインタフェース２２を実施してもよい。
【００３６】
実施の形態では、装置１０の制御モジュール１４は、第１のリソースプールおよび／または第２のリソースプールに由来するリソースを使用して、他のモバイルトランシーバ１５０からデータを受信するように構成することができる。したがって、第２のリソースプールのリソースを使用して、２つのモバイルトランシーバ１００，１５０間でデータを交換、送信および受信することができる。
【００３７】
たとえば、３ＧＰＰ  Ｒｅｌｅａｓｅ  １４に準拠する、直接的なＣ−Ｖ２Ｘ伝送（ここでＶ２Ｘは、少なくともＶ２Ｖ、Ｖ２・インフラストラクチャ（Ｖ２Ｉ）などを含む）を、インフラストラクチャによって管理することができるか（いわゆるモード３）、ユーザ端末（ＵＥ）自律モード（ＵＥＡ）（いわゆるモード４）で実行することができる。モード４は、自動車業界において関心が高いものであると考えられているので、以下ではモード４に着目するが、実施の形態をモード３（リソースプールに関する情報をネットワークによって、たとえば、モード３の設定によって間接的に提供することができる分散スケジューリング）にも適用することができる。その理由には、モバイルネットワークの事業者および運用コストに依存しないことが含まれる。
【００３８】
モード４では、センシングを用いるセミ・パーシステント・スケジューリング（ＳＰＳ：Ｓｅｍｉ−Ｐｅｒｓｉｓｔｅｎｔ  Ｓｃｈｅｄｕｌｉｎｇ）を行うことによって各々の乗り物またはＵＥによるチャネルアクセスが実現されると仮定する。各乗り物またはＵＥは、自身の情報を時間周波数リソースグリッドに配置するために、反復的なパターンを使用することができる。各時刻に、たとえば、乗り物が送信を行わないすべての時刻に、乗り物は他者による送信をセンシングすることができる。リソースの再選択が行われれば、乗り物またはＵＥは、低いエネルギ、さらにいえば最も低いエネルギがセンシングされたリソースを選択することができる。このコンセプトは、規則的なステータスデータの効果的な伝送に好適であるが、イベントドリブン型のデータの伝送には適用できない場合がある。後者は実施の形態の場合には可能である。たとえば、制御モジュール１４は、第１のリソースプールを使用して周期的なデータを送信および／または受信し、また第２のリソースプールを使用してイベントドリブン型のデータを送信および／または受信するように構成されている。
【００３９】
現在のパターン以外でデータを送信する必要がある場合、これは他のユーザのパターンに干渉する場合がある。周波数領域でリソースプールを分割することでこの問題を解決することができるが、しかしながらこの解決手段は、ハーフデュプレックス制限に起因して非効率になる場合がある。異なる時間リソースでデータを送信および受信するように制御モジュール１４を構成してもよい。たとえば乗り物の一部においては、少なくともいくつかのトランシーバは、能動的に送信を行っている間は受信を行えない（ハーフデュプレックス）ので、１つのリソースプールの使用は、他のリソースプールの同時的な使用を阻止することができる。これにより、システムの能力を効果的に分けることができる。
【００４０】
伝送エラーを訂正するために、前方誤り訂正（ＦＥＣ）を使用することができる。伝送における消失を訂正するために、特に消失訂正符号が使用される。異なる受信器間で消失の数がまったく異なるブロードキャストを行う場合にレートレス符号が使用される。顕著な例は、ラプタ符号を含むファウンテン符号のクラスである。実施の形態では、レートレス符号は、前方誤り訂正符号、消失訂正符号、ネットワーク符号またはファウンテン符号である。レートレス符号は、独立したチャネルアクセスを実現し、かつハーフデュプレックス制限（すなわち、モバイルトランシーバは送信と受信を同時に行うことができない）の非効率性を克服するために、消失訂正符号および第２のリソースプールを使用することができる。レートレスという用語は、符号レート（ｃｏｄｅ  ｒａｔｅ）を設定できることと解することができる。つまり、回数を限って伝送した後に、レートレスに符号化されたパケットのブロードキャストが停止され、したがって符号レートはゼロではないが、しかしながら符号レートを状況または通信シナリオに適合させることができる。
【００４１】
実施の形態では、第２のリソースプールにおける情報を消失から保護するためにファウンテン符号が使用される。この消失は、第２のリソースプールにおける情報を受けることが想定される乗り物またはＵＥが第１のリソースプールを用いて伝送する場合に発生する。周囲にいる乗り物が、自身の伝送動作を行っているにもかかわらず、第２のリソースプールからの情報を完全に復号できるように、ファウンテン符号源（ｆｏｕｎｔａｉｎ）は有効状態に維持され続ける。さらに、ファウンテン符号またはレートレス符号は、一般的には、緊急メッセージのために送出されるメッセージの再伝送にも対応する。わずかに長い期間、ファウンテンコード源を有効状態に維持することによって、再伝送から生じる付加的な冗長性が提供される。
【００４２】
図２は、１つの実施の形態における第１のリソースプールおよび第２のリソースプールを示す。図２は、時間・周波数グリッドを示す（横座標には時間を示し、また縦座標には周波数を示す）。この実施の形態において、全体のシステムリソースは、時間・周波数リソースブロック（ＲＢ）によって決定され、また全体のリソースセット（システム帯域幅および時間パターン）は、図２の四角５００によって示唆されている。全体のリソースセット５００を、周波数および時間のリソースのグリッドによって、たとえばＬＴＥシステムでは、サブキャリアおよび時間のリソース（１２個のサブキャリア（ＬＴＥでは１８０ｋＨｚ）および２つのタイムスロット（１つのサブフレーム、すなわちＬＴＥでは１ｍｓ）など）のサブセットのグリッドによって細分することができる。図２において、第１のリソースプールのリソースは５１０で示唆されており、また第２のリソースブロックのリソースは５２０で示唆されている。第２のリソースプール５２０のリソースを用いて伝送されるデータパケットを符号化するためにファウンテン符号が使用される。この実施の形態では、制御モジュール１４は、レートレス／ファウンテン符号化をアプリケーション層データパケットに適用するように構成されている。また、それぞれの下位の層のパケットの、相応に構成された無線ベアラ／無線アクセスベアラへの割り当ても、制御モジュール１４によって実行され、また同様に受信モバイルトランシーバに実施されている制御モジュールによって実行される。
【００４３】
たとえば、制御モジュール１４を、（トランシーバモジュール１２を介した）ブロードキャスト伝送のために第２のリソースプールのリソースを使用するように構成することができる。図２にさらに示唆されているように、第２のリソースプール５２０は、時間リソースの断続パターンを含んでいる。いくつかの実施の形態では、第１のリソースプール５１０のリソースの帯域幅は、図２に示したバーの高さによって示唆されているような第２のリソースプール５２０のリソースの帯域幅よりも広い。さらに、いくつかの実施の形態では、伝送のためのリソースを利用できない断続時間は、同様に図２において示唆されているように、第２のリソースプール５２０よりも第１のリソースプール５１０における方が長い。
【００４４】
実施の形態は、第２のリソースプールにおける複数の伝送に対応することができる。これを実現するために、第２のリソースプールのリソースにおけるファウンテン符号化データの伝送は、他のメッセージおよびユーザをストリームに参加させることができるように、ギャップパターンを含むことができる。ファウンテン符号による解決手段では、生成行列の送信器／トランスミッタおよびすべての受信器において共通の情報を使用することができる。乗り物のセットアップにおいては、これは、疑似乱数生成器を使用することによって、たとえば全地球的航法衛星システム（ＧＮＳＳ）の時刻に基づいて達成される。その際、ＧＮＳＳの時刻から導出されたタイムスタンプは、疑似乱数生成器に入力されるシードを生成するために使用されることになる。ファウンテン符号化をアプリケーション層に適用することができる。このことは、第２のリソースプール５２０のすべてのリソースブロックを別々に復号できることを意味している。消失訂正符号にはバーストをまねく消失が起こる場合があるが、しかしながら、それによってその復号能力が損なわれることはない。
【００４５】
図３は、モバイル通信システム３００のモバイルトランシーバ１００のための方法の実施の形態のフローチャートのブロック図を示す。方法は、第１のリソースプールに関連付けられた情報および第２のリソースプールに関連付けられた情報を受信すること３２を備えている。この方法はさらに、第２のリソースプールのリソースにおける伝送のためにデータを符号化するためのレートレス符号を使用することによって、他のモバイルトランシーバ１５０と通信すること３４を備えている。
【００４６】
図４は、他のモバイルトランシーバ１５０と直接的に通信するために、伝送リソースをモバイル通信システム３００のモバイルトランシーバ１００に割り当てるための方法の実施の形態のフローチャートのブロック図を示す。方法は、第１のリソースプールおよび第２のリソースプールを決定すること４２を備えている。第２のリソースプールは、データを符号化するためにレートレス符号を使用することによって伝送を行うためのリソースを有している。この方法はさらに、第１のリソースプールに関連付けられた情報および第２のリソースプールに関連付けられた情報をモバイルトランシーバ１００に提供すること４４を備えている。
【００４７】
別の実施の形態は、コンピュータ、プロセッサまたはプログラミング可能なハードウェアコンポーネントにおいて実行されると、上記の方法のうちの少なくとも１つを実行するプログラムコードを有しているコンピュータプログラムである。さらに別の実施の形態は、コンピュータ、プロセッサまたはプログラミング可能なハードウェアコンポーネントによって実行されると、本明細書に記載した方法のうちの１つをコンピュータに実行させる命令を記憶しているコンピュータ可読記憶媒体である。当業者であれば、プログラミングされたコンピュータによって上記の様々な方法のステップを実行することができること、たとえばスロットの位置を決定または計算できることは容易に理解できる。この場合、いくつかの実施の形態は、機械読み出し可能またはコンピュータ読み出し可能なプログラム記憶デバイス、たとえば、ディジタルデータ記憶媒体をカバーし、命令の機械実行可能プログラムまたはコンピュータ実行可能プログラムをエンコードすることも意図する。前記命令は、本明細書で説明されている方法のステップの一部もしくは全部を実行する。プログラム記憶デバイスは、たとえば、磁気ディスクおよび磁気テープ、ハードディスクまたは光学的可読ディジタルデータ記憶媒体などのディジタルメモリ、磁気記録媒体であってもよい。実施の形態は、ここに記載されている方法の前述のステップを実行するようにプログラミングされたコンピュータまたは上記の方法の前述のステップを実行するようにプログラミングされた（フィールド）プログラマブル・ロジック・アレイ（（Ｆ）ＰＬＡ）または（フィールド）プログラマブル・ゲート・アレイ（（Ｆ）ＰＧＡ）をカバーすることも意図する。
【００４８】
記載および図面は本発明の原理を示すにすぎない。したがって、当業者であれば、本明細書に明示的に記載されていない、すなわち明確に示されていないが、本発明の原理を具体化し、発明の精神および範囲に含まれる様々な構成を発明することができると解される。さらに、本明細書に記載されているすべての例は、原則として、発明者によって技術の進歩に寄与することになった発明および概念の原理を読者が理解するのを助ける教示目的のものにすぎないことを明確に意図し、このような特に記載されている例および条件に対する限定はないものと解釈するものとする。さらにまた、本発明の原理、態様および実施の形態ならびにその特定の例を示している本明細書中のすべての記載は、これらの均等物を含むことを意図する。プロセッサによって設けられる場合、機能は単一の専用プロセッサ、単一の共有プロセッサまたは複数の別個のプロセッサ（これらのいくつかは共有されてもよい）によって実現されてもよい。さらにまた、用語「プロセッサ」または用語「コントローラ」の明示的な使用は、ソフトウェアを実行可能なハードウェアのみを指すものと解釈するべきではなく、また、ディジタルシグナルプロセッサ（ＤＳＰ）ハードウェア、ネットワークプロセッサ、特定用途向け集積回路（ＡＳＩＣ）、フィールド・プログラマブル・ゲート・アレイ（ＦＰＧＡ）、ソフトウェア記憶用の読み出し専用メモリ（ＲＯＭ）、ランダムアクセスメモリ（ＲＡＭ）および不揮発性記憶デバイスを限定なしに暗示的に含んでもよい。他のハードウェアで、従来のものまたはカスタム化したものを含んでもよい。それらの機能を、プログラムロジックの動作を通じて、専用ロジックを通じてまたはプログラム制御と専用ロジックとのやり取りを通じて発揮させてもよいし、手動であってもそれらの機能を発揮させることができる。実施者は特定の技術を文脈から特に理解されるように選択可能である。
【００４９】
本明細書中のいずれのブロック図も、本発明の原理を具体化する典型的な回路の概念図を表すと当業者が解することは当然である。同様に、任意のフローチャート、フロー図、状態遷移図、疑似コードなどが様々なプロセスを表し、これらのプロセスをコンピュータ可読媒体中で実質的に表すことができ、したがって、コンピュータまたはプロセッサによって、このようなコンピュータまたはプロセッサが明示的に示されているか否かにかかわらず、実行することができると解される。
【００５０】
さらに、以下の請求項は、この記載によって詳細な説明に含まれ、各請求項は個別の実施の形態として独立し得る。各請求項が個別の実施の形態として独立し得る一方で、従属請求項が請求項中で１つ以上の他の請求項との特定の組合せを指す場合があることを踏まえて、他の実施の形態が、従属請求項と各他の従属請求項の主題との組合せも含んでもよいことに留意する。特定の組合せを意図しないことが記載されていない限りにおいて、このような組合せが本明細書で提案される。さらに、所定の請求項が他の任意の独立請求項に直接従属しない場合であっても、この独立請求項に対するこの所定の請求項の特徴もさらに含まれることが意図されている。
【００５１】
さらに、明細書または請求項に開示されている複数の方法の対応する複数のステップの各々を実行する手段を有するデバイスによってこれらの方法を実施し得る点に留意する。
【符号の説明】
【００５２】
１０  モバイルトランシーバ装置
１２  トランシーバモジュール
１４  制御モジュール
２０  リソースを割り当てる装置
２２  インタフェース
２４  制御モジュール
３２  第１のリソースプールに関連付けられた情報および第２のリソースプールに関連付けられた情報の受信
３４  レートレス符号を用いた他のモバイルトランシーバとの通信
４２  第１のリソースプールと、レートレス符号を用いた伝送のためのリソースを備える第２のリソースプールとの決定
４４  第１のリソースプールに関連付けられた情報および第２のリソースプールに関連付けられた情報のモバイルトランシーバへの提供
１００  モバイルトランシーバ
１５０  他のモバイルトランシーバ
２００  基地局トランシーバ
３００  モバイル通信システム
５００  リソースのシステムセット
５１０  第１のリソースプール
５２０  第２のリソースプール
【図１】
2018129801.tif 000003
【図２】
2018129801.tif 000004
【図３】
2018129801.tif 000005
【図４】
2018129801.tif 000006
【外国語明細書】
2018129801.tif 000007
2018129801.tif 000008
2018129801.tif 000009
2018129801.tif 000010
2018129801.tif 000011
2018129801.tif 000012
2018129801.tif 000013
2018129801.tif 000014
2018129801.tif 000015
2018129801.tif 000016
2018129801.tif 000017
2018129801.tif 000018
2018129801.tif 000019
2018129801.tif 000020
2018129801.tif 000021
2018129801.tif 000022
2018129801.tif 000023
2018129801.tif 000024
2018129801.tif 000025
2018129801.tif 000026
2018129801.tif 000027
2018129801.tif 000028